(57)【特許請求の範囲】
【請求項１】
球状ないし達磨状の容器を上下に２分割した形状をしており、その少なくとも下側容器の内部に蚊取り線香の支持手段を設け、かつ下側容器の底部に復元用の重りを付けてあること、
前記の上側容器の天井部内に垂下状の筒部を有し、この筒部内のハット状部の鍔部外周が前記の筒部の下端と連結していること、
前記の垂下状の筒部の側壁に通気孔が開いていること、
前記筒部より外側で上側容器の内壁に連結されたすり鉢状隔壁に、前記通気孔とずらした位置に通気窓孔が開いており、しかも下端中央が開口していること、  を特徴とする蚊取り線香容器。
【請求項２】
前記の下側容器の底部内に、蚊取り線香の支持体を有しており、前記のすり鉢状隔壁の下端から直径方向に延長している落下阻止手段を有しており、前記の支持体に支持された蚊取り線香が、落下阻止手段によって、転動しても脱落不能に支持される構造となっていることを特徴とする請求項１に記載の蚊取り線香容器。
【請求項３】
縦断面形状がＬ字状の薄板からなる線香受けの水平部に２本のスリットを開けて、その中に、下側から二股状の２本のテーパ状の指状部を挿入することによって、線香受けを蚊取り線香の直径方向に水平に支持し、この線香受けの鉛直部の上端縁を鋸歯状に形成してあることを特徴とする請求項１または請求項２に記載の蚊取り線香容器。
【請求項４】
前記の上側容器の下端と下側容器の上端とが、互いに螺合し合うネジ構造になっていることを特徴とする請求項１、請求項２または請求項３に記載の蚊取り線香容器。
【発明の詳細な説明】
【０００１】
【産業上の利用分野】
本発明は、蚊取り線香を点火した状態で収納する容器に関し、特に球状をしていて、転動しても酸欠にならず、灰もこぼれない構造とした安全な蚊取り線香容器に関する。
【０００２】
【従来の技術と発明が解決しようとする課題】
特開平８−103198号公報に記載のように、２枚貝のような形状の容器の中に蚊取り線香を収納して半開きにしておき、布団などの重みが加わると、上蓋が閉じて火災防止できる構造が提案されている。
【０００３】
しかしながら、布団などの重みで上蓋が閉じると、酸欠で自然消火するので、蚊取り線香としての役目を果たせなくなる。
【０００４】
通常は、上蓋が半開きの状態で使用するため、蚊取り線香の上に紙や衣類などがかかると、焦がしたり、着火したりする危険がある。
【０００５】
一方、蹴飛ばしたりした場合も、上蓋が閉じない限り、点火したままで燃焼し続けるため、危険である。
【０００６】
容器が球状あるいは達磨状をしており、しかも蹴飛ばしたりしても、達磨のように一定の姿勢に復元できると、安全である。
【０００７】
本発明の技術的課題は、このような問題に着目し、常時球状ないし達磨状に閉じた状態でも酸欠になることなく、しかも転動や転倒しても自然に元の正常な状態に復元でき、さらに灰がこぼれることもない、火災防止に適した安全な蚊取り線香容器を実現することにある。
【０００８】
【課題を解決するための手段】
本発明の技術的課題は次のような手段によって解決される。請求項１は、球状ないし達磨状の容器を上下に２分割した形状をしており、その少なくとも下側容器の内部に蚊取り線香の支持手段を設け、かつ下側容器の底部に復元用の重りを付けてある。
【０００９】
このように、球状ないし達磨状の容器を上下に２分割した形状をしているので、開閉して蚊取り線香を入れたり、灰を出したりできる。また、少なくとも下側容器の内部に蚊取り線香の支持手段を設け、かつ底部に重りを付けてあるので、蹴飛ばしたり、転動したりしても、重りの作用で自動的に通常の正常な姿勢に復元し、正常な燃焼を継続できる。
【００１０】
また、前記の上側容器の天井部内に垂下状の筒部を有し、この垂下筒部内のハット状部の鍔部外周が前記の筒部の下端と連結している。そして、前記の垂下筒部の側壁に通気孔が開いている。また、前記垂下筒部より外側で上側容器の内壁に連結されたすり鉢状隔壁に、前記通気孔とずらした位置に通気窓孔が開いており、しかも下端中央が開口している。
【００１１】
このように、上側容器の天井部から垂下している筒部の側壁に通気孔が開いている。また、すり鉢状隔壁にも通気窓孔が開いており、しかも下端中央も開口している。
【００１２】
したがって、垂下状の筒部の側壁の通気孔とすり鉢状隔壁の通気窓孔から外気が入るので、内部の蚊取り線香が酸欠となることはなく、また蚊取り線香から発生した煙も円滑に排煙できる。
【００１３】
しかも、垂下状筒部の側壁の通気孔とすり鉢状隔壁の通気窓孔はずれているので、容器が逆さになった際に、すり鉢状隔壁の通気窓孔を通過した灰が、垂下状筒部からこぼれ出すことはない。また、容器が逆さになったときに、すり鉢状隔壁の中央の開口から落下したわずかの灰は、ハット状部に阻止される。そして、すり鉢状隔壁を通過した灰は、次に容器が元の状態に復元する際に、すり鉢状隔壁の内面に沿って中央の開口に滑り落ち、次いで下側容器内に落下するので、垂下状筒部の側壁の通気孔から外部に灰が漏れ出す恐れはない。
【００１４】
請求項２は、請求項１に記載の下側容器の底部内に、蚊取り線香の支持体を有しており、前記のすり鉢状隔壁の下端から直径方向に延長している落下阻止手段を有している。そして、前記の支持体に支持された蚊取り線香が、落下阻止手段によって、転動しても脱落不能に支持される構造となっている。
【００１５】
このように、下側容器の底部に設けた支持体に蚊取り線香を支持した状態で、すり鉢状隔壁の下端から直径方向に延長している落下阻止手段で、転動しても脱落しないように支持される構造となっているので、容器が逆さになったり、転動したりしても、蚊取り線香が支持体から脱落するようなことはなく、継続して支持され、支障なく燃焼し続けることができる。
【００１６】
請求項３は、縦断面形状がＬ字状の薄板からなる線香受けの水平部に２本のスリットを開けて、その中に、下側から二股状の２本のテーパ状の指状部を挿入することによって、線香受けを蚊取り線香の直径方向に水平に支持し、この線香受けの鉛直部の上端縁を鋸歯状に形成してあることを特徴とする請求項１または請求項２に記載の蚊取り線香容器である。
【００１７】
このように、縦断面形状がＬ字状の薄板からなる線香受けの水平部に２本のスリットを開けて、その中に、下側から二股状の２本のテーパ状の指状部を挿入することによって、線香受けを蚊取り線香の直径方向に水平に支持し、うず巻き状の蚊取り線香は、その直径方向の線香受けの上に載置支持される。したがって、容器が転動したり、蹴飛ばされたりして乱暴に扱われても、蚊取り線香が折れたり、重みで外側が垂れ下がったりする恐れがない。また、線香受けの鉛直部の上端縁を鋸歯状に形成してあって、蚊取り線香との接触面積が小さいので、蚊取り線香が途中で消えるようなこともない。
【００１８】
請求項４は、請求項１、請求項２または請求項３に記載の上側容器の下端と下側容器の上端とが、互いに螺合し合うネジ構造になっている蚊取り線香容器である。このように、上側容器の下端と下側容器の上端とが、互いに螺合し合うネジ構造になっているので、互いにネジ結合して球状体にしたとき、突起物が無く、すっきりした球状体にできる。しかも、突起物が無いので、転動する際に円滑に転動でき、震動で内部の蚊取り線香が損傷したり、支持体から折れ落ちたりする恐れがない。
【００１９】
【発明の実施の形態】
次に本発明による蚊取り線香容器が実際上どのように具体化されるか実施形態を説明する。図１は本発明による蚊取り線香容器の外観を示す側面図である。本発明の蚊取り線香容器は、半球状の下側容器１と半球状の上側容器２とを突き合わせた状態で閉じ、周知の着脱機構２２、２３でロック可能となっている。このように一体にロックすると、図示のように球状となる。
【００２０】
図２（２）はこの球状の蚊取り線香容器の縦断面図であり、（１）は頂部の平面図である。図３は下側容器１と上側容器２を分離した状態の縦断面図である。図示例の蚊取り線香容器は、ちょうど上下対称となるように、２分割されている。すなわち、地球儀の赤道の位置で分割されている。
【００２１】
下側容器１は、地球儀の南半球のような形状をしており、内部の空洞の中心に蚊取り線香支持用の支柱４の基端を固定してある。この支柱４の上端４ａは、蚊取り線香の中心のスリットに挿入できるように尖っている。そして、この尖端４ａは、球状容器のちょうど中心位置の高さになっており、数ｍｍ下側の位置に、ストッパー４ｂを有している。
【００２２】
したがって、図２、図３のように、渦巻き状の蚊取り線香５の中心のスリットに前記の尖端４ａを挿入すると、蚊取り線香５はストッパー４ｂ上に水平に支持される。
【００２３】
尖端４ａの下側には、バネ性舌片４ｃを有しており、蚊取り線香中心のスリットに尖端４ａを挿入する際に、このバネ性舌片４ｃが閉じて蚊取り線香中心のスリットを通過すると、フリーになって開き、図示の状態となる。したがって、上下逆さになっても、蚊取り線香はこのバネ性舌片４ｃに引っ掛かって支持されるので、蚊取り線香が脱落することはない。
【００２４】
図からも明らかなように、球状の蚊取り線香容器の内径は、蚊取り線香５の最大直径より多少大きめに製作してある。
【００２５】
この蚊取り線香容器は、転動することを前提にしているが、たとえ転動しても、最終的には、図示のように支柱４が鉛直になり、蚊取り線香５がストッパー４ｂ上で水平になった状態で、球状容器が安定するように、下側容器１の外側の底面１ｃは水平にしてあり、しかも支柱４の根元の部分に、鉛などの重り６を固定してある。
【００２６】
したがって、通常は、蚊取り線香５が燃焼して生じる灰は、底部すなわち重り６の上に堆積する。
【００２７】
下側容器１の側壁内面に固定されている外気取り込み部７は、外筒８と内筒９とからなっている。すなわち、外筒８および内筒９の外端が、下側容器１の側壁内面に固定されている。そして、内筒９の外端９ａは外気に開口しており、左右の側壁に通気孔９ｂが開いていて、外気導入筒となっている。内端９ｃは閉じられている。
【００２８】
外筒８は、内端８ａが開口している。したがって、球状容器が転動して、灰が内端開口８ａから外筒８中に進入したとしても、下側容器１の内壁面に一時的に溜まるだけであって、左右の側口９ｂから外に漏れ出すことはない。
【００２９】
また、外筒８と内筒９との間に溜まった灰は、続く転動によって、内端開口８ａから排出されて下側容器１の底部に溜まるので、外筒８と内筒９間に溜まったままとなることはない。一方、外気は、開口９ａ→内筒９内→内筒の側口９ｂ→外筒８内→内端開口８ａの順で、下側容器１中に流入するので、酸欠せずに、蚊取り線香５が完全燃焼できる。
【００３０】
この外気取り込み部７は、サイズにもよるが、２〜３個程度で足りる。また、蚊取り線香５より下側、すなわち下側容器１に設けた方が、新鮮な外気が流入して上昇し、蚊取り線香５に供給されるので、より好ましい。しかしながら、上側容器２の内壁に設けることも不可能ではない。
【００３１】
上側容器２の上端すなわち頂部には、排煙部１０を設けてある。前記の支柱尖端４ａの上側には、鉛直筒部１１を配設してあり、この筒部１１の上端１１ａと前記の排煙部１０より外側の上側容器内壁との間は、すり鉢状隔壁１２で連結されている。
【００３２】
鉛直筒部１１は上端１１ａと下端１１ｂが開口しており、また側壁には、通煙孔１１ｃが開いている。この通煙孔１１ｃは、小さな孔を多数開けた方がよい。
【００３３】
頂部の排煙部１０は、上側容器２の天井部内壁に、鉛直方向の外筒１３、中間筒１４および中心筒１５を同心円状に配置した構造になっている。そして、中心筒１５の下端１５ａは閉鎖されている。また、外筒１３と中間筒１４との間の下端部１３ａも閉鎖されている。
【００３４】
中間筒１４と中心筒１５との間の下端部１４ａのみ、リング状の開口１４ａが開いている。なお、リング状の開口１４ａに代えて、図２（１）図に鎖線で示すように多数の小孔１４ｄをリング状に配設してもよい。
【００３５】
また、外筒１３と中間筒１４との間の上端部１３ｂは、リング状に開口している。このリング状の開口１３ｂに代えて、鎖線で示すように、多数の小孔１４ｅをリング状に配設してもよい。さらに、中心筒１５の上端１５ｂも開口している。
【００３６】
いま、図１、図２のような球状容器が転動し、上下逆転したとしても、殆どの灰は、上側容器２の内面とすり鉢状隔壁１２との間の谷部１６に堆積する。一部の灰が、鉛直筒部１１の下端開口１１ｂや側部の多数の小孔１１ｃからすり鉢状隔壁１２内に入ったとしても、中間筒１４と中心筒１５との間の天井部１４ｂに溜まるだけであって、外部には漏れない。
【００３７】
こうして谷部１６に溜まった灰は、蚊取り線香容器が重り６の重みで、元の正常な姿勢に戻ると、図示のように、下側容器１の底に落下して堆積する。また、排煙部１０側に入った一部の灰は、すり鉢状隔壁１２の傾斜内面を滑って鉛直筒部１１中に落下し、次いで下側容器１の底に落下する。
【００３８】
一方、蚊取り線香５から発生した煙は、鉛直筒部１１の下端開口１１ｂや側部の多数の小孔１１ｃからすり鉢状隔壁１２中に入り、次いで中間筒１４と中心筒１５との間の下端開口１４ａ→中間筒１４の側孔１４ｃ→外筒１３と中間筒１４間の上端開口１３ｂの順に排出される。
【００３９】
あるいは、下端開口１４ａ→中心筒１５の側孔１５ｃ→中心筒１５の上端開口１５ｂのルートでも排煙される。
【００４０】
前記の鉛直筒部１１は、容器が逆さになった際の蚊取り線香の支持を兼ねることもできる。すなわち、鉛直筒部１１の下端開口１１ｂの縁を例えば鋸歯状に形成して、蚊取り線香との接触面積を小さくすると共に、図２（２）のように下側容器１と上側容器２とを結合した状態で、前記の下端開口１１ｂの縁が蚊取り線香５と軽く接するか、多少の隙間が発生する程度の寸法に設定しておく。
【００４１】
その結果、容器が逆さになった場合は、前記のバネ性舌片４ｃだけでなく、リング状の下端開口１１ｂの縁でも蚊取り線香５を支持できる。特に、中央の小さなバネ性舌片４ｃだけに蚊取り線香の全荷重が集中する場合と異なり、鉛直筒部１１の半径の位置で、しかもリング状の複数箇所で支持できるので、蚊取り線香の脱落防止がより確実となる。
【００４２】
前記のように、下側容器１の支柱４の上端に蚊取り線香５を支持した状態で、上側容器２を被せて、互いに突き合わせてロックするが、このロック手段は特に限定されない。
【００４３】
図３の例では、一端１ａ、２ａ同士をヒンジ機構３ａ、３ｂで連結しておいて、ヒンジ部３を中心にして開閉可能とし、他端１ｂ、２ｂ間にバックルなどを設けて、閉じた状態でロックする構造になっている。なお、下側容器１と上側容器２との間は、パッキンなどを挟んで、煙や灰が漏れないように、完全に閉鎖してもよい。
【００４４】
図４は本発明の別の実施形態の縦断面図である。下側容器１には、外気導入用の窓孔１７を１個または複数個あけてある。また、上側容器２には、排煙用の窓孔１８を１個または複数個あけてある。そして、下側容器１および上側容器２の内面には、前記の窓孔１７、１８を塞ぐように、不燃性の通気性パッド１９を貼り着けてある。
【００４５】
不燃性の材料としては、ガラス繊維やセラミック繊維などが適している。また、織布であっても、目の細かい布であればよい。あるいは、比較的目の細かい布を複数枚重ねて用いてもよい。
【００４６】
このように、上下の容器１、２に開けた窓孔１７、１８に不燃性の通気性パッド１９を貼ってあるので、下側容器１の窓孔１７から通気性パッド１９を通過して、外気が容易に流入して、蚊取り線香５に酸素を供給できる。
【００４７】
また、蚊取り線香５から発生した煙は、上側容器２の窓孔１８と通気性パッド１９を通過して、容易に排煙できる。通気性パッド１９は、通気性を確保できる程度の細かい隙間しか開いていないので、灰は通過不能であり、灰が外にこぼれ出すのを防止できる。不燃性であるから、燃焼して孔が開く恐れはない。
【００４８】
蚊取り線香５の支持構造も、前記実施形態とは異なる。下側容器１の上端の開口には、水平に通気性パッド２０を取り付けてある。また、上側容器２の下端の開口にも、水平に通気性パッド２１を取り付けてある。
【００４９】
したがって、上側容器２を開いて、通気性パッド２０の上に蚊取り線香５を載せた状態で、上側容器２を閉じると、図示のように下側の通気性パッド２０と上側容器２の通気性パッド２１とで蚊取り線香５が挟まれて保持される。
【００５０】
蚊取り線香保持用の通気性パッド２０、２１も前記の通気性パッド１９と同じ材質でよい。この場合は、発生した灰も通気性パッド２０、２１間に挟まれた状態となり、上側容器２を開けることで、排出できる。
【００５１】
通気性パッド２０、２１に代えて、金網あるいはガラス繊維やセラミック繊維などで織った目の粗い網も利用できる。この場合は、灰は網目を通過するが、下側容器１や上側容器２の通気性パッド１９で阻止され、外部には漏れない。
【００５２】
下側容器１と上側容器２とは、図の左端のヒンジ機構３を中心にして開閉できる。また、図の右端では、下側容器１の上端には長方形のリング２２を有し、上側容器２には該リング２２に弾力でもって着脱できる出没式の凸片２３を有している。
【００５３】
つまり、周知の着脱機構であり、凸片２３をその弾力に抗して押し込んだ状態で、長方形のリング２２を通過させてから、開放させると、図示のように元の凸状に復元するので、長方形のリング２２に引っ掛かって、離脱不能となる。図示状態で、凸片２３を押し込んでから上側容器２を上に開くと、容易に離脱する。
【００５４】
図１は、このような着脱機構２２、２３で下側容器１と上側容器２とを結合してあるので、上側容器２は下側容器１から完全に分離できる。なお、図示のような着脱機構に代えて、バックルなどでロックする構造も適用できる。
【００５５】
図２の線香支持用の支柱４は、図４の通気性パッド２０、２１と交換することもできる。また、図３の外気導入部や排煙構造と図４の通気性パッド１９とが混在した構造でもよい。
【００５６】
以上のように、球状の容器を例に説明したが、蚊取り線香容器として、安定性の悪い、自由に転動する球状体を用いることは、デザイン的に意外性があり、注目を集めるものと思われる。
【００５７】
しかしながら、達磨状でもよい。すなわち、上側容器２が、達磨の上半分と同様な形状にする。あるいは、球状と達磨状との中間の形状でもよい。達磨状にする場合、図２、図３の排煙部１０は達磨の頭部に設ける。
【００５８】
球状や達磨状の容器は、蚊取り線香が長時間点火していることで熱をもつので、外面に断熱材を貼っておいてもよい。
【００５９】
図５は、本発明の更に別の実施形態の縦断面図である。下側容器１には、外気導入孔などは全く設けてない。底部中央に、内側に窪んだ凹壁２４を形成し、その中に外側から重り６を挿入してある。
【００６０】
２５は蚊取り線香の支持板であり、正面から見ると上向きの二股状部２５ａ、２５ｂを有している。すなわち、実線の２５は、支持板２５の縦断面を示し、鎖線の２５は、支持板２５の正面形状を示している。したがって、実線の支持板２５を左側または右側から見た形状が、鎖線２５のように、上向きの二股状になる。
【００６１】
この支持板２５の下部をＬ字状に曲げ、凹壁２４の天井部のスリット２４ｓから挿通して、凹壁２４天井部と重り６との間に挟んでネジ２８で固定してある。
【００６２】
長い方の指状部２５ａはテーパ状に上端が尖っているので、使用に際して、長い方の指状部２５ａを蚊取り線香中央の支持スリット５ｓに下から挿入すると、図示のように支持スリット５ｓより幅の大きい部分で支持される。
【００６３】
一方、上側容器２の排煙部１０より外側の内壁面からすり鉢状隔壁２６が垂下しており、その下端に押さえ板２７の一端が固定され、前記の長い方の指状部２５ａの上端を押さえる状態になっている。したがって、蚊取り線香容器が転動したりして、上下位置が反転しても、蚊取り線香５は、容器の直径方向に延びた押さえ板２７の上に載置支持されるので、蚊取り線香５が離脱落下する恐れはない。
【００６４】
断面形状がＬ字状の薄板からなる線香受け３５の水平部３６に２本のスリットを開けて、その中に、下から二股状の２本のテーパ状の指状部２５ａ、２５ｂを挿入すると、図示のように、線香受け３５を水平に支持できる。この線香受け３５の鉛直部３７の上端３７ｅは、鋸歯状に形成してある。
【００６５】
したがって、うず巻き状の蚊取り線香５は、その直径方向の線香受け３５の上に載置支持されるので、容器が転動したり、蹴飛ばされたりして乱暴に扱われても、蚊取り線香が折れたり、重みで外側が垂れ下がったりする恐れがない。また、線香受け３５の鉛直部３７の上端３７ｅが鋸歯状になっていて、蚊取り線香との接触面積が小さいので、蚊取り線香が途中で消えるようなこともない。
【００６６】
上側容器２の頂部の排煙部１０には、垂下状の筒部２９を有している。図６は、この筒部２９の位置における水平断面図である。この筒部２９内には、ハット状部３０を有している。すなわち、ハット状部３０の下端の鍔部３１の外周が前記の筒部２９の下端と連結している。
【００６７】
そして、筒部２９の側壁に窓孔３２が開いている。すなわち、蚊取り線香容器内が酸欠にならないように、外部の空気を導入したり、内部の蚊取り線香から発生した煙を排出するためである。
【００６８】
前記のすり鉢状隔壁２６は、前記のハット状部３０および垂下状の筒部２９の下側に位置している。すなわち、すり鉢状隔壁２６の外周端２６ａが、筒部２９より外側の上側容器内壁から延長した形状になっている。そして、下端中央３３すなわちハット状部３０の下側は開口していて、外気や蚊取り線香の煙が通過可能となっている。
【００６９】
また、このすり鉢状隔壁２６にも、通気兼排煙用の窓孔２６ｗが開いている。この窓孔２６ｗは、図６から明らかなように、筒部２９の窓孔３２と重ならないように、窓孔３２が開いていない位置に開けてある。したがって、容器が転動して逆さになっても、窓孔２６ｗを通過した灰は、筒部２９に阻止されるので、外部に漏れない。また、中央の開口３３を通過した灰は、ハット状部３０に阻止される。
【００７０】
このような構造となっているため、図示のような通常の状態では、内部の蚊取り線香５から発生した煙は、矢印で示すように、前記のすり鉢状壁２６の中央の開口３３や窓孔２６ｗを上昇し、次いで、垂下状の筒部２９の窓穴３２を通過して、該筒部２９の内側から外部に排出される。
【００７１】
また、矢印とは逆のルートで、外気が流れ込むため、内部の蚊取り線香５が酸欠で立ち消えするような恐れはない。そして、蚊取り線香５が燃焼して生じた灰は、下側容器１の底部に落下して堆積する。
【００７２】
いま、この蚊取り線香容器が、蹴飛ばしたりしたために上下反転したとすると、蚊取り線香５は、直径方向の押さえ板２７上に支持されるため、離脱落下するような恐れはない。
【００７３】
そして、下側容器１中の灰が、すり鉢状隔壁２６の中央部開口３３や窓孔２６ｗを通過しても、ハット状部３０側に落下するが、重りによる復元力で蚊取り線香容器が図示の元の姿勢に復元するため、ハット状部３０側に落下した灰は、すり鉢状隔壁２６の内面を滑り落ちて、再び開口３３を通過して、下側容器１の底部に落下する。
【００７４】
また、上下反転時に垂下状筒部２９の外側に落下した灰は、図示状態に復元する際に、すり鉢状隔壁２６の傾斜内面によって開口３３に案内され、ついで下側容器の底部に落下堆積する。
【００７５】
したがって、蚊取り線香容器が上下反転したり、転動したりしても、灰が筒部２９側壁の窓孔３２を通過して外部に漏れ出すような恐れはない。
【００７６】
なお、すり鉢状隔壁１２、２６は、上側容器２の内壁と一体成型も可能ではあるが、別体に成型し、後で接着してもよい。あるいは、図５のように嵌め込み構造にしてもよい。嵌め込み構造にした場合は、時々分離して、清掃することもできる。
【００７７】
図７は、下側容器１の側面図である。この図から明らかなように、下側容器１の上端１ａは、上側容器２が被さることができるように、幾分小径になっている。そして、この小径部１ａの外面にネジ山１ｂを形成してある。このネジ山１ｂは、図８のように上から見た場合、約８５度以下と短く、しかも左右対になっている。
【００７８】
一方、上側容器２の下端２ａは、前記の下側容器の小径部１ａに被さる形状になっている。そして、下端２ａの内面には、約８５度以下と短いネジ山２ｂが左右に形成されている。
【００７９】
下側容器１および上側容器２のネジ山１ｂ、２ｂの部分を相手側のネジ山の無い部分に挿入した後、約９０度回転すると、それぞれのネジ山１ｂ、２ｂが相手側のネジ山と噛み合い、互いに連結され結合する。
【００８０】
下側容器１と上側容器２とが、このようにネジ山で螺合結合する構造にすると、突起物が無いので、転動する際に円滑に転動するため、震動を低減できる。また、デザイン的にもすっきりした外観となる。
【００８１】
なお、図８からも明らかなように、線香受け３５の水平部３６に二股状の指状部２５ａ、２５ｂを挿入して水平に支持してある。そして、通常はこの直径方向の線香受け３５の鋸歯状上端３７ｅ上に蚊取り線香５が載置支持されている。また、容器が上下反転した場合は、直径方向に延びた押さえ板２７の上に載置支持されることになる。
【００８２】
【発明の効果】
請求項１のように、球状ないし達磨状の容器を上下に２分割した形状をしているので、開閉して蚊取り線香を入れたり、灰を出したりできる。また、少なくとも下側容器の内部に蚊取り線香の支持手段を設け、かつ底部に重りを付けてあるので、蹴飛ばしたり、転動したりしても、重りの作用で自動的に通常の正常な姿勢に復元し、正常な燃焼を継続できる。
【００８３】
また、上側容器の天井部から垂下している筒部の側壁に通気孔が開いている。また、すり鉢状隔壁にも通気窓孔が開いており、しかも下端中央も開口している。したがって、垂下状の筒部の側壁の通気孔とすり鉢状隔壁の通気窓孔から外気が入るので、内部の蚊取り線香が酸欠となることはなく、また蚊取り線香から発生した煙も円滑に排煙できる。
【００８４】
しかも、垂下状筒部の側壁の通気孔とすり鉢状隔壁の通気窓孔はずれているので、容器が逆さになった際に、すり鉢状隔壁の通気窓孔を通過した灰が、垂下状筒部からこぼれ出すことはない。また、容器が逆さになったときに、すり鉢状隔壁の中央の開口から落下したわずかの灰は、ハット状部に阻止される。そして、すり鉢状隔壁を通過した灰は、次に容器が元の状態に復元する際に、すり鉢状隔壁の内面に沿って中央の開口に滑り落ち、次いで下側容器内に落下するので、垂下状筒部の側壁の通気孔から外部に灰が漏れ出す恐れはない。
【００８５】
請求項２のように、下側容器の底部に設けた支持体に蚊取り線香を支持した状態で、すり鉢状隔壁の下端から直径方向に延長している落下阻止手段で、転動しても脱落しないように支持される構造となっているので、容器が逆さになったり、転動したりしても、蚊取り線香が支持体から脱落するようなことはなく、継続して支持され、支障なく燃焼し続けることができる。
【００８６】
請求項３のように、縦断面形状がＬ字状の薄板からなる線香受けの水平部に２本のスリットを開けて、その中に、下側から二股状の２本のテーパ状の指状部を挿入することによって、線香受けを蚊取り線香の直径方向に水平に支持し、うず巻き状の蚊取り線香は、その直径方向の線香受けの上に載置支持される構造になっている。したがって、容器が転動したり、蹴飛ばされたりして乱暴に扱われても、蚊取り線香が折れたり、重みで外側が垂れ下がったりする恐れがない。また、線香受けの鉛直部の上端縁が鋸歯状に形成されていて、蚊取り線香との接触面積が小さいので、蚊取り線香が途中で消えるようなこともない。
【００８７】
請求項４のように、上側容器の下端と下側容器の上端とが、互いに螺合し合うネジ構造になっているので、互いにネジ結合して球状体にしたとき、突起物が無く、すっきりした球状体にできる。しかも、突起物が無いので、転動する際に円滑に転動でき、震動で内部の蚊取り線香が損傷したり、支持体から折れ落ちたりする恐れがない。
【図面の簡単な説明】
【図１】本発明による蚊取り線香容器の外観を示す正面図である。
【図２】（２）は図１の球状の蚊取り線香容器の縦断面図であり、（１）は要部の平面図である。
【図３】図２の下側容器と上側容器を分離した状態の縦断面図である。
【図４】本発明による蚊取り線香容器の別の実施形態の縦断面図である。
【図５】本発明による蚊取り線香容器のさらに別の実施形態を示す縦断面図である。
【図６】図５におけるＡ−Ａ位置の水平断面図である。
【図７】図５の下側容器の側面図である。
【図８】図５の下側容器の平面図である。
【符号の説明】
１  下側容器
１ａ  小径部
１ｂ  ネジ山
２  上側容器
２ａ  下端
２ｂ  ネジ山
３  ヒンジ部
４  支柱
５  蚊取り線香
６  重り
７  外気取り込み部
８  外筒
９  内筒（外気導入筒）
１０  排煙部
１１  鉛直筒部
１２  すり鉢状部
１３  外筒
１４  中間筒
１５  中心筒
１７、１８  窓孔
１９  通気性パッド
２０、２１  支持用の通気性パッド
２４  凹壁
２５  支持板
２６  すり鉢状壁
２７  押さえ板
２９  垂下状の筒部
３０  ハット状部
３１  鍔部
３２  窓孔
３３  中央開口
３５  線香受け
【図１】
0003612044.tif 000002
【図２】
0003612044.tif 000003
【図３】
0003612044.tif 000004
【図４】
0003612044.tif 000005
【図５】
0003612044.tif 000006
【図６】
0003612044.tif 000007
【図７】
0003612044.tif 000008
【図８】
0003612044.tif 000009